(57)【要約】【課題】収納箱の外寸を抑えつつ、収納箱の正面のユーザを検知することができる収納箱を提供する。【解決手段】収納箱１００が提供される。収納箱１００は、収納箱１００の正面に取り付けられる扉１２１と、扉１２１の上方に取り付けられる人感センサ１５１と、を備える。人感センサ１５１は、その前端が扉１２１の前端よりも後方に配置される。【選択図】図６
2020152382.tif 000002
【特許請求の範囲】
【請求項１】
収納箱であって、
前記収納箱の正面に取り付けられる扉と、
前記扉の上方に取り付けられるセンサと、を備え、
前記センサは、その前端が前記扉の前端よりも後方に配置される、収納箱。
【請求項２】
前記扉の上方に配置され、前記センサを保持するためのカバーをさらに備え、
前記カバーの下面には、上方に凹んだ凹部が形成され、
前記凹部の上側に前記センサが配置される、請求項１に記載の収納箱。
【請求項３】
前記カバーは、前記扉を前記収納箱の筐体に回動可能に取り付けるためのヒンジを覆うためのカバーである、請求項２に記載の収納箱。
【請求項４】
前記扉は、左右両方から開放可能に構成され、
前記カバーは、前記収納箱の左右の端部まで延設されることによって前記扉の左右両方のヒンジを覆い、
前記センサは、前記カバーのうちの、前記収納箱の左右略中央部分に配置される、請求項３に記載の収納箱。
【請求項５】
前記扉の表面には操作パネルが取り付けられていない、請求項１から４のいずれか１項に記載の収納箱。
【発明の詳細な説明】
【技術分野】
【０００１】
本発明は、収納箱の技術に関し、特にセンサを搭載する収納箱に関する。
【背景技術】
【０００２】
従来から、各種センサを搭載する冷蔵庫が知られている。たとえば、特開２００２−３２３８５８号公報（特許文献１）には、情報表示装置付き家庭電化製品、および、情報表示装置の移動用装置が開示されている。特許文献１によると、冷蔵庫本体のドア前に、使用者が立っている。カメラから使用者までの距離をＬ１、カメラの撮影角度はθとされている。この撮影角度は、カメラに取込まれる画像の中心に、使用者の両目の中心が位置する角度である。Ｌ１とθとから、使用者の目の高さＨが算出される。Ｈは、カメラから垂直方向にＬ２だけ下方に位置すると考えると、Ｌ２を「Ｌ２＝Ｌ１ｃｏｓθ」として算出することにより、求められる。Ｈと、その時点での画像表示装置設置用部材上の画像表示装置の垂直方向の中心の高さとの差を算出することにより、当該画像表示装置の移動距離が算出される。
【先行技術文献】
【特許文献】
【０００３】
【特許文献１】特開２００２−３２３８５８号公報
【発明の概要】
【発明が解決しようとする課題】
【０００４】
特許文献１では、カメラが冷蔵庫から前方に張出して配置されているため、冷蔵庫の外寸が大きくなってしまう。また、カメラがユーザの真上に飛び出しているので、圧迫感や違和感を持たれるおそれがある。そこで、本発明の目的は、収納箱の外寸を抑えつつ、収納箱の正面のユーザを検知することができる収納箱を提供することを目的とする。
【課題を解決するための手段】
【０００５】
この発明のある態様に従うと、収納箱が提供される。収納箱は、収納箱の正面に取り付けられる扉と、扉の上方に取り付けられるセンサと、を備える。センサは、その前端が扉の前端よりも後方に配置される。
【発明の効果】
【０００６】
このように、本発明によれば、収納箱の外寸を抑えつつ、収納箱の正面のユーザを検知することができる収納箱が提供される。
【図面の簡単な説明】
【０００７】
【図１】第１の実施の形態にかかる冷蔵庫１００の正面斜視図である。
【図２】第１の実施の形態にかかる冷蔵庫１００の側面図である。
【図３】第１の実施の形態にかかる人感センサ１５１近傍の正面斜視図である。
【図４】第１の実施の形態にかかる人感センサ１５１近傍の上面斜視図である。
【図５】第１の実施の形態にかかる人感センサ１５１近傍の側面断面図である。
【図６】第１の実施の形態にかかる人感センサ１５１近傍のイメージ図である。
【図７】第１の実施の形態にかかるセンサユニット１５０近傍の下方斜視図である。
【図８】第１の実施の形態にかかるセンサユニット１５０近傍の上方斜視図である。
【図９】第１の実施の形態にかかるセンサユニット１５０近傍の断面斜視図である。
【図１０】第１の実施の形態にかかる下ヒンジカバー１３３の上方斜視図である。
【図１１】第１の実施の形態にかかる下ヒンジカバー１３３の下方斜視図である。
【図１２】第１の実施の形態にかかるセンサユニット１５０の下方斜視図である。
【図１３】第１の実施の形態にかかる透過カバー１５４，１５５を取り付けた状態のセンサユニット１５０の下方斜視図である。
【図１４】第２の実施の形態にかかる人感センサ１５１近傍の正面斜視図である。
【図１５】第２の実施の形態にかかる人感センサ１５１近傍の上面斜視図である。
【図１６】第５の実施の形態にかかる人感センサ１５１近傍の側面断面図である。
【発明を実施するための形態】
【０００８】
以下、図面を参照しつつ、収納箱の一例としての冷蔵庫１００に関して、本発明の各実施形態について説明する。以下の説明では、同一の部品には同一の符号を付してある。それらの名称および機能も同じである。したがって、それらについての詳細な説明は繰り返さない。
＜第１の実施の形態＞
【０００９】
図１を参照して、本実施の形態にかかる冷蔵庫１００の外側は、断熱性能が高い筐体１１０や、扉１２１，１２２，１２３，１２４，１２５で構成されている。本実施の形態においては、冷蔵庫１００の正面は、上から順に、第１の正面扉１２１と、第２の正面扉１２２と、第３の正面扉１２３と、第４の正面扉１２４と、第５の正面扉１２５で構成される。
【００１０】
第１の正面扉１２１の内側には、メインの冷蔵室が設けられる。第２の正面扉１２２の内側には、貯氷室が設けられる。第３の正面扉１２３の内側には、冷凍室が設けられる。第４の正面扉１２４の内側には、野菜室が設けられる。第５の正面扉１２５の内側には、メインの冷凍室が設けられる。
【００１１】
本実施の形態においては、第１の正面扉１２１は、左右の両方向から開けることが可能に構成されている。また、本実施の形態においては、第１の正面扉１２１の表面には、操作パネルが設けられていない。たとえば、操作パネルは、メインの冷蔵室内の、筐体１１０の内側面などに設けられる。
【００１２】
そして、本実施の形態においては、第１の正面扉１２１の上方に、センサの一例である、人感センサ１５１が取り付けられる。図２に示すように、人感センサ１５１は、冷蔵庫１００の正面にいるユーザの存在を検知する。人感センサ１５１は、測距センサであってもよいし、赤外線センサであってもよいし、画像センサなどであってもよく、特に限定されるものではないが、本実施の形態にかかる冷蔵庫１００においては、光を利用してユーザの存在を検知するタイプの人感センサを利用することが可能である。また、センサは人感センサに限るものではなく、冷蔵庫１００の前方の情報を検知する各種センサとしてもよい。一例として、カメラや温度センサなどが挙げられる。
【００１３】
図３から図５に示すように、本実施の形態にかかる冷蔵庫１００は、人感センサ１５１は、第１の正面扉１２１の前端すなわち第１の正面扉１２１の表面よりも後方に搭載される。つまり、人感センサ１５１が、第１の正面扉１２１の前端よりも前方に突出しないように構成されている。これによって、冷蔵庫１００の外寸法の前後方向の長さ、つまり奥行きを抑えることができる。
【００１４】
上述したように、第１の正面扉１２１は、左右のどちらからも開くことができる。より詳細には、第１の正面扉１２１は、その左端部がヒンジ１３１を介して、筐体１０１の前端の左端部に回動可能に構成されており、その右端部がヒンジ１３２を介して、筐体１０１の前端の右端部に回動可能に構成されている。
【００１５】
ヒンジ１３１とヒンジ１３２とは、共に、上下のヒンジカバー１３３，１３４によって覆われている。なお、上のヒンジカバー１３４は、冷蔵庫１００の天面カバーであってもよい。
【００１６】
本実施の形態においては、上下のヒンジカバー１３３，１３４は、上下方向に互いに固定される。本実施の形態においては、下のヒンジカバー１３３も上のヒンジカバー１３４も、筐体１１０の左端部から右端部にまで延設される。つまり、１つの下のヒンジカバー１３３と、１つの上のヒンジカバー１３４との間に、左のヒンジ１３１と右のヒンジ１３２とが挟まれるように構成されている。
【００１７】
なお、人感センサ１５１だけでなく、上下のヒンジカバー１３３，１３４の前端部も、第１の正面扉１２１の前端よりも前方に突出しないように構成されることが好ましい。
【００１８】
本実施の形態においては、上下のヒンジカバー１３３，１３４の間に、人感センサ１５１が挟まれるように配置される。人感センサ１５１は、筐体１１０の左右方向の略中央部に配置されることが好ましい。
【００１９】
本実施の形態においては、下のヒンジカバー１３３の左右方向の略中央部に、凹部１３３Ｘ、換言すれば切り欠き部が形成される。人感センサ１５１は、下のヒンジカバー１３３の凹部１３３Ｘの上面に配置されて固定される。つまり、凹部１３３Ｘの上方において、ヒンジカバー１３３，１３４に挟まれるように、人感センサ１５１が配置される。
【００２０】
後述するように、下のヒンジカバー１３３の、人感センサ１５１からの光路上には、孔１３３Ｙが形成される。当該孔１３３Ｙには、人感センサ１５１からの光が透過しやすい樹脂やガラス製のプレートが取り付けられることが好ましい。
【００２１】
このように、本実施の形態においては、図６に示すように、下ヒンジカバー１３３に凹部１３３Ｘを設けることによって、人感センサ１５１の下方において、下ヒンジカバー１３３の下面と、第１の正面扉１２１の上面との間に、隙間が生じる。そして、当該隙間を利用することによって、人感センサ１５１からの赤外線や可視光などを斜め下に照射しても、当該赤外線や可視光が、第１の正面扉１２１の上面に邪魔されずに、ユーザが存在する可能性があるエリアに到達しやすくなり、また、反射光が第１の正面扉１２１の上面に邪魔されずに人感センサ１５１に到達しやすくなる。
【００２２】
より詳細には、本実施の形態においては、図７〜図９に示すように、下ヒンジカバー１３３の凹部１３３Ｘの上面には、人感センサ１５１を有するセンサユニット１５０が取り付けられる。そして、図７、図１０、図１１に示すように、下ヒンジカバー１３３の凹部１３３Ｘには、人感センサ１５１用の孔１３３Ａと、マイク用の孔１３３Ｂと、ＬＥＤライト用の孔１３３Ｃとが形成される。
【００２３】
図１２に示すように、センサユニット１５０には、上述した人感センサ１５１だけでなく、各種の音声を取得するためのマイク１５２や、各種の状態を表示するためのＬＥＤライト１５３なども取り付けられる。本実施の形態においては、孔１３３Ａ、１３３Ｂ，１３３Ｃから水分やホコリなどが下ヒンジカバー１３３の内部に浸入する可能性を低減するために、図１３に示すように、人感センサ１５１の下方およびＬＥＤライト１５３の下方に、すなわち人感センサ１５１用の孔１３３ＡとＬＥＤライト用の孔１３３Ｃとに、光を透過する透過カバー１５４，１５５などが取り付けられる。
【００２４】
そしてさらに、図９および図１０に示すように、本実施の形態においては、下ヒンジカバー１３３には、溝１３３Ｌが形成されており、万が一、孔１３３Ａ，１３３Ｂ，１３３Ｃから水が侵入しても、当該水が溝１３３Ｌを流れて下ヒンジカバー１３３の外部に誘導されるように構成されている。
＜第２の実施の形態＞
【００２５】
上記の実施の形態においては、下ヒンジカバー１３３のうちの、人感センサ１５１の位置に、上に凹んだ凹部１３３Ｘを形成するものであった。しかしながら、このような構成には限られない。本実施の形態においては、図１４および図１５に示すように、第１の正面扉１２１の上部において、人感センサ１５１の直下に、下方向に凹んだ凹部１２２Ｘを形成する。
【００２６】
より詳細には、第１の正面扉１２１の上面に、下ヒンジカバー１３３の下面と第１の正面扉１２１の上面の間を塞ぐための化粧カバー１２７を取り付けて、当該化粧カバー１２７の左右略中央部に凹部１２７Ｘ、すなわち切り欠き部を形成する。
【００２７】
本実施の形態においても、人感センサ１５１の下方において、下ヒンジカバー１３３の下面と、第１の正面扉１２１の上面との間に、隙間が生じる。そして、当該隙間を利用することによって、人感センサ１５１からの赤外線や可視光などを斜め下に照射しても、当該赤外線や可視光が、第１の正面扉１２１や化粧カバー１２７に邪魔されずに、ユーザが存在する可能性があるエリアに到達しやすくなり、また、反射光が第１の正面扉１２１や化粧カバー１２７に邪魔されずに人感センサ１５１に到達しやすくなる。
＜第３の実施の形態＞
【００２８】
上記の実施の形態においては、下ヒンジカバー１３３が、筐体１１０の左端から右端まで延設されるものであった。そして、当該下ヒンジカバー１３３に凹部１３３Ｘを形成して、凹部１３３Ｘの上面に人感センサ１５１を載置するものであった。しかしながら、このような構成には限られない。
【００２９】
たとえば、下ヒンジカバー１３３は、筐体１１０の左側のヒンジ１３１を覆うカバーと、筐体の右側のヒンジ１３２を覆うカバーとに分割されてもよい。この場合は、筐体１１０の左端のヒンジカバーに人感センサ１５１が設けられたり、筐体１１０の右端のヒンジカバーに人感センサ１５１が設けられたりしてもよい。そして、いずれかのヒンジカバーのうちの、人感センサ１５１が配置される部分に凹部が形成されてもよい。
【００３０】
あるいは、筐体１１０の上面の前端部分に、ヒンジカバーとは、別に人感センサ１５１を保持するためのカバー部材を取り付けてもよい。この場合も、人感センサ１５１を、第１の正面扉１２１の前端よりも後方に配置することが好ましく、当該カバー部材のうちの、人感センサ１５１が配置される部分の前下方に、凹部を形成してもよい。
＜第４の実施の形態＞
【００３１】
上記の実施の形態においては、第１の正面扉１２１が、左右両方から開放できるものであった。しかしながら、第１の正面扉１２１は、右側だけ、または左側だけが解放できるものであってもよい。この場合は、下ヒンジカバー１３３は、筐体１１０の左端だけに設けられたり、筐体１１０の右端だけに設けられたりする。
【００３２】
この場合も、筐体１１０の左端のヒンジカバーに人感センサ１５１が設けられたり、筐体１１０の右端のヒンジカバーに人感センサ１５１が設けられたりしてもよい。そして、ヒンジカバーのうちの、人感センサ１５１が配置される部分に凹部が形成されてもよい。
【００３３】
あるいは、筐体１１０の上面の前端部分に、ヒンジカバーとは、別に人感センサ１５１を保持するためのカバー部材を取り付けてもよい。この場合も、人感センサ１５１を、第１の正面扉１２１の前端よりも後方に配置することが好ましく、当該カバー部材のうちの、人感センサ１５１が配置される部分の前下方に、凹部を形成してもよい。
＜第５の実施の形態＞
【００３４】
上記の実施の形態においては、人感センサ１５１の下方において、下ヒンジカバー１３３の下面と、第１の正面扉１２１の上面との間に、隙間が生じさせることによって、検知用の光路を確保するものであった。しかしながら、このような構成には限られない。
【００３５】
たとえば、人感センサ１５１からの光の照射エリアに位置する部材を、光の透過性が高い部材にすることによって、検知用の光路を確保してもよい。具体的には、図１６に示すように、第１の正面扉１２１の上方や、筐体１１０の上方に、人感センサ１５１を配置する。そして、人感センサ１５１の前方または前下方には、光を透過する素材で構成された化粧プレート１２９を設ける。
【００３６】
本実施の形態においても、冷蔵庫１００の外寸法の奥行きを抑えつつ、冷蔵庫１００の正面にいるユーザの存在を検知することができる。
＜まとめ＞
【００３７】
上記の実施形態では、収納箱が提供される。収納箱は、収納箱の正面に取り付けられる扉と、扉の上方に取り付けられるセンサと、を備える。センサは、その前端が扉の前端よりも後方に配置される。
【００３８】
好ましくは、収納箱は、扉の上方に配置され、センサを保持するためのカバーをさらに備える。カバーの下面には、上方に凹んだ凹部が形成される。凹部の上側にセンサが配置される。
【００３９】
好ましくは、カバーは、扉を収納箱の筐体に回動可能に取り付けるためのヒンジを覆うためのカバーである。
【００４０】
好ましくは、扉は、左右両方から開放可能に構成される。カバーは、収納箱の左右の端部まで延設されることによって扉の左右両方のヒンジを覆う。センサは、カバーのうちの、収納箱の左右略中央部分に配置される。
【００４１】
好ましくは、扉の表面には操作パネルが取り付けられていない。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００４３】
１００    ：冷蔵庫
１０１    ：筐体
１１０    ：筐体
１２１    ：第１の正面扉
１２２    ：第２の正面扉
１２３    ：第３の正面扉
１２４    ：第４の正面扉
１２５    ：第５の正面扉
１２７    ：化粧カバー
１２７Ｘ  ：凹部
１２９    ：化粧プレート
１３１    ：ヒンジ
１３２    ：ヒンジ
１３３    ：下のヒンジカバー
１３３Ａ  ：孔
１３３Ｂ  ：孔
１３３Ｃ  ：孔
１３３Ｌ  ：溝
１３３Ｘ  ：凹部
１３４    ：上のヒンジカバー
１５０    ：センサユニット
１５１    ：人感センサ
１５２    ：マイク
１５３    ：ＬＥＤライト
１５４    ：透過カバー
１５５    ：透過カバー
【図１】
2020152382.tif 000003
【図２】
2020152382.tif 000004
【図３】
2020152382.tif 000005
【図４】
2020152382.tif 000006
【図５】
2020152382.tif 000007
【図６】
2020152382.tif 000008
【図７】
2020152382.tif 000009
【図８】
2020152382.tif 000010
【図９】
2020152382.tif 000011
【図１０】
2020152382.tif 000012
【図１１】
2020152382.tif 000013
【図１２】
2020152382.tif 000014
【図１３】
2020152382.tif 000015
【図１４】
2020152382.tif 000016
【図１５】
2020152382.tif 000017
【図１６】
2020152382.tif 000018